(57)【要約】  弁付き雄ルアーコネクタは、入口部（６）と出口部（７）を有する管状部材（５）を包囲する弾性中空要素（１５）を含む。カラー（２８）は、軸方向に移動可能であり、弾性中空要素（１５）の伸張変形を引き起こし、管状部材（１５）の入口部（６）の初期端（１１）に隣接する末端壁（２０）の切欠き（２０）を開放する。カラー（２８）は、末端壁（２０）に近接するまで弾性中空要素（１５）の閉込め軸方向付属部（３０）を有する。弾性中空要素（１５）の伸張変形を制限する停止手段（１４）が、末端壁（２０）に近接する領域（１９）に設けられている。【選択図】図２
2013512028.tif 000002
【特許請求の範囲】
【請求項１】
ケーシング（１）と、
初期端（１１）を備える入口部（６）と出口部（７）を有する管状部材（５）と、
前記ケーシング（１）に固定され、前記管状部材（５）を包囲し、前記管状部材（５）の入口部（６）の初期端（１１）に隣接する末端壁（２０）を有するとともに、切欠き（２１）を有する弾性中空要素（１５）と、
前記ケーシング（１）と前記弾性中空要素（１５）との間に介在され、軸方向に移動可能で、雌コネクタがスラスト係合し、前記弾性中空要素（１５）を伸張変形させ、その結果、前記切欠き（２１）と、前記入口部（６）と前記管状部材（５）の出口部（７）との間の流路とを開放させるカラー（２８）とを有し、
さらに、前記末端壁（２０）の実質的近傍まで、前記弾性中空要素（１５）に対する閉込め部材（３０）を有する弁付き雄ルアーコネクタにおいて、
前記カラー（２８）は、前記切欠き（２１）の開放中に前記弾性中空要素（１５）の伸張変形を生じさせるように設計され、
前記閉込め部材は、前記カラー（２８）とともに軸方向に移動可能な前記カラー（２８）の軸方向付属部（３０）からなることを特徴とする弁付き雄ルアーコネクタ。
【請求項２】
前記弾性中空要素（１５）の前記末端壁（２０）は、前記カラー（２８）の閉込め軸方向付属部（３０）に向かって軸方向に対向する外部ラジアルフランジ（２２）を有することを特徴とする請求項１に記載のコネクタ。
【請求項３】
前記管状部材（５）は、前記末端壁（２０）に近接する前記弾性中空要素（１５）の部分（１９）の伸張変形を制限するように設計された停止手段（１４）を有することを特徴とする請求項１又は２に記載のコネクタ。
【請求項４】
前記管状部材（５）は、前記入口部（６）の初期端（１１）に近接して、前記停止手段（１４）で終端する外部環状溝（１３）を有し、前記外部環状溝（１３）内で前記弾性中空部材（１５）の内部ガイド突起がスライド可能に嵌合することを特徴とする請求項３に記載のコネクタ。
【請求項５】
前記外部環状溝（１３）は、前記入口部（６）の初期端（１１）に実質的に対応して、外部環状円形拡大部（１２）により範囲が定められている請求項４に記載のコネクタ。
【請求項６】
前記管状部材（５）の前記入口部（６）と前記出口部（７）は、相互に離れたラジアル通路（９，１０）を介して互いに接続され、前記弾性中空要素（１５）は、前記ラジアル通路（９，１０）の連通を制御する内部環状突起（２４，２５）を備えている請求項１から５のいずれかに記載のコネクタ。
【請求項７】
前記カラー（２８）の前記閉込め軸方向付属部（３０）は、雌コネクタ用の外部係合面を有することを特徴とする請求項１から６に記載の弁付きコネクタ。
【発明の詳細な説明】
【技術分野】
【０００１】
本発明は医療流体用コネクタ、さらに詳しくは弁付き雄ルアー（luer）コネクタであって、雌ルアーコネクタに接続し、２つのコネクタを通る流路を開くように設計された弁付き雄ルアーコネクタに関する。
【背景技術】
【０００２】
このように作られるコネクタは、医療流体での使用を考慮すると、雌コネクタが無いときの完全な閉鎖、雌コネクタとの連結の間の瞬間的な連結、及び雌コネクタの離脱後の閉鎖状態への瞬間的な復帰を保証できなければならない。
【０００３】
このような効果を達成するために、ケーシングと、初期端を備える入口部と出口部を有する管状部材と、ケーシングに固定されて管状部材の入口部をスライド可能に軸方向に包囲する弾性中空要素とからなる弁付き雄ルアーコネクタが、本願出願人に譲渡された米国特許第７５５９５３０号で提案された。弾性中空要素は、切欠き（cut）を有するとともに管状部材の入口部の初期端に隣接する末端壁を有し、ケーシングと弾性中空要素との間にカラー（collar）が介設されている。カラーは、軸方向に移動可能であり、雌コネクタとスラスト係合し、弾性中空要素を伸張変形させ、その結果として管状部材の入口部と出口部の間の前述した切欠き及び流路を開放させる。
【０００４】
この弁付き雄ルアーコネクタは、切欠部を備える末端壁を介して閉鎖弁部材を規定する弾性変形要素の圧縮の代わりに伸張変形することにより、類似する従来の弁コネクタとは異なった動作をする。
【０００５】
この従来のコネクタは、コネクタが使い捨て用又は使用回数制限用に意図されている場合に完全に有効であるが、繰り返し動作と再閉鎖サイクルの場合に欠点が明らかになる。このような欠点は、弾性中空要素の末端壁による不適切にシールされた再閉鎖の危険性によるものであり、該危険性は、伸張する拡張中における弾性中空要素の非対称な反り及び変形により、切欠き領域のバリ又は裂けによって引き起こされ、それに続く非変形状態への正しい弾性復帰に影響を与える。
【０００６】
この従来技術の弁付き雄ルアーコネクタのさらなる欠点は、閉鎖状態で外側に自由に露出される弾性中空要素が不注意に又はむしろ意図的に変形し、相対的な末端壁の切欠きに過度の有害な開放が形成される可能性にある。
【先行技術文献】
【特許文献】
【０００７】
【特許文献１】米国特許第７５５９５３０号明細書
【発明の概要】
【０００８】
本発明の目的は、前記文献ＵＳ−７５５９５３０から知られている前述のコネクタを改良し、さらに具体的には弾性中空要素の不正な変形による故障、及び末端壁の切欠きの安全で信頼性のある閉鎖に関する次の問題の危険性を劇的に減少することである。
【０００９】
本発明のさらなる目的は、弾性中空要素の末端壁の切欠きの不注意による又は望まれない開放を防止することである。
【００１０】
本発明によると、これらの目的は、請求項１の前提部に規定されたタイプの弁付き雄ルアーコネクタにより達成され、その主たる特徴は、ケーシングと弾性中空要素の間に介在されるカラーが、末端壁の実質的近傍まで、前記弾性中空要素に対する閉込め軸方向付属部（containment axial appendage）を有することである。
【００１１】
この解決手段により、いくつかの重要な利点を得ることができる。
【００１２】
第一に、カラーの軸方向付属部により及ぼされる閉込め動作は、伸張変形中の弾性中空要素の側壁の制御されない又は不正確な変形を防止し、弁コネクタの開放と再閉鎖が繰り返されても、関係する末端壁の切欠きの完全な閉鎖を保証する。
【００１３】
これに対し、カラーの軸方向付属部の存在は、弾性中空要素の末端壁の切欠きにおける裂傷の危険性を劇的に減少し、裂傷があった場合でも、その伝搬が制限されあるいは停止される。
【００１４】
弾性中空要素の伸張変形は、その末端壁と、閉込め軸方向付属部が延びるカラーの領域との間の軸方向延長部のほぼ全体にわたって、良好に制御される。
【００１５】
本発明の好ましい実施形態によると、弾性中空要素の側壁は、カラーの閉込め軸方向付属部に向かって軸方向に対向する外部ラジアルフランジを有する。
【００１６】
外部ラジアルフランジとカラーの閉込め軸方向付属部の自由端との間の当接は、コネクタの閉鎖状態において、弾性中空要素の末端壁の切欠きの望まれない又は不注意な開放を防止する。さらに、このようなラジアルフランジは、切欠きの確実（positive）な再閉鎖、切欠きの雌コネクタによる開放、これに続く雌コネクタの除去をもたらすことが有利にできる。弾性中空要素の末端壁の外部ラジアルフランジに対してカラーの閉込め軸方向付属部により付与される軸方向スラストによって決定される確実な再閉鎖の効果は、さらに、開放と再閉鎖のサイクルを繰り返した後でさえ、コネクタの完全閉鎖を保証すること、
中空要素と切欠きを備えた関連する末端壁との弾性変形を効率的に制御すること、に貢献している。
【００１７】
このような効果は、本発明の更に有利な特徴による、  管状部材は、入口部の初期端に近接して、停止手段で終端する外部環状溝を有し、外部環状溝内で弾性中空部材の内部ガイド突起がスライド可能に嵌合する、という事実によりさらに増加する。
【００１８】
このような弾性中空要素の内部ガイド突起と管状部材の外部溝との間の協働は、実質的に停止手段のように、端壁に近接する弾性中空要素の領域の伸張変形を制限し、これにより切欠きの領域の裂傷又は切裂けの危険性を防止することにさらに貢献する。
【００１９】
弁付き雄ルアーコネクタと雌コネクタとの間の連結中に、弾性中空部材の緩やかな最もストレスの無い可能性の開放を保証するために、管状部材の入口部の前述した初期端には
外部環状丸形拡大部が都合良く形成されている。
【図面の簡単な説明】
【００２０】
本発明のさらなる特徴及び利点は、非制限的な実施例としてのみ与えられた添付図面を参照する以下の詳細な説明から明らかとなる。
【図１】本発明による弁付き雄ルアーコネクタの概略斜視図。
【図２】図１の軸方向断面図。
【図３】コネクタの分解斜視図。
【図４】図３の断面図。
【図５】本発明による弁付き雄ルアーコネクタの動作段階を示す図２に類似した概略断面図
【図６】本発明による弁付き雄ルアーコネクタの異なる動作段階を示す図２に類似した概略断面図。
【図７】本発明による弁付き雄ルアーコネクタの異なる動作段階を示す図２に類似した概略断面図。
【発明を実施するための形態】
【００２１】
最初に、図１乃至４を参照すると、本発明による弁付き雄ルアーコネクタは、ケーシング１からなり、該ケーシング１は、下部フランジ部２と、該下部フランジ部２と反対側に永久的に連結されて形成され、内部にねじ座４を備える上部中空本体３とで構成されている。
【００２２】
フランジ２は、符号５で全体的に示された管状部材と一体的に且つ同軸に形成され、管状部材５は、中空本体３を通って伸張してねじ材４の外側に突出する入口部６と、出口部７とを有している。入口部６は、後で説明する他の部品と平行であるが、ねじ座４とともに、図示しない公知の雌コネクタと係合するように設計された雄ロックルアーコネクタを規定している。例えば、本願出願人による特許出願ＥＰ１８３４６６５Ａ２に記載され図示されたタイプの弁を有することができる。
【００２３】
出口部７は、管状付属部８と連通し、該管状付属部８は、例えば雌ロックルアーコネクタのように形成され、フランジ２と一体に形成され、ケーシング１に対して後部で突出している。
【００２４】
入口部６と出口部７は、２シリーズの離れたラジアル通路９，１０を介して互いに接続され、相互の連通は以下で明確にするように制御される。
【００２５】
入口部６は、１１で示す開放初期端を有し、該開放初期端１１には、上部で外部環状溝１３を画定する丸壁環状拡大部１２が形成され、該外部環状溝１３は内側で段部１４により画定されている。
【００２６】
弾性中空要素は、典型的にはエラストマー又はシリコンゴムであり、フランジ２と本体３との間でケーシング１に固定された環状ベース１６と、略円錐部１８を介してベース１６に接続された第１略円筒部１７と、該第１円筒部１７に対して僅かに狭まり、末端横壁２０を有する第２略円筒部１９とからなり、１５で示されている。略円錐部１８は第１略円筒部１７に向かって先細になっている。
【００２７】
末端壁２０は、中心に切欠き（cut）２１を備え、該切欠き２１は、例えば線形又は図示された実施例の場合のような三尖弁形状であり、弾性中空要素１５の弾性特性により通常閉鎖されている。外部ラジアルフランジ２２は、その機能については後述するが、末端壁２０の外周縁から突出している。
【００２８】
弾性中空要素１５の第２円筒部１９には、環状ガイド突起２３が内部に形成され、該環状ガイド突起２３は、管状部材５の入口部６の溝１３内で環状拡大部１２と段部１４の間をスライド可能である。
【００２９】
第１円筒部１７は、互いに離れた少なくとも１つの第１、第２、第３環状シール突起が内部に形成され、それぞれ２４，２５，２６で示され、管状部材５にスライド可能にシール接触している。
【００３０】
弾性中空要素１５の末端壁２０は、通常は、その切欠き２１を閉鎖したまま、入口部６の初期端１１の真上に配置されている。このような位置は、図１，２，５に示す弁コネクタの閉鎖状態に相当し、この状態では、管状部材５のラジアル通路９，１０の間の連通は、少なくとも弾性中空要素１５の環状突起２４によって互いに絶縁され、したがって、入口部６と出口部７の間の連通、すなわち、コネクタを通る流路は、隠されている。
【００３１】
ケーシング１の中空本体３と弾性中空要素１５との間に介設され、後述するように、弾性中空要素１５の伸張変形により、コネクタを通る流路の開放と、その後の雌ルアーコネクタとの連結とを制御するように設計されたアクチュエータ部材を構成するカラーが、参照符号２８で示されている。
【００３２】
カラー２８は、弾性中空要素１５の第１円筒部１７を包囲し、その下部２９は、弾性中空要素１５の円錐部１８に係合している。
【００３３】
本発明の独特な特徴によると、カラー２８は、その上部に、弾性中空要素１５の第２円筒部１９を包囲する閉込め軸方向付属部３０をさらに備え、該付属部３０は末端壁２０の近傍まで延びている。閉込め軸方向付属部３０の自由端は、末端壁２０の外部ラジアルフランジ２２に向かって軸方向に面している。
【００３４】
カラー２８の閉込め軸方向付属部３０は、雌コネクタの外部係合面、例えば必ずしもそうである必要はないが、ルアーコーン（luer cone）を有している。
【００３５】
本発明による弁コネクタは、以下のように動作する。
【００３６】
閉鎖状態では、図１，２，５に示すように、弾性中空部材１５の末端壁２０の切欠き２１は閉鎖されている。不注意ではあるが望まれない開放は閉込め軸方向付属部３０の存在により隠される。末端壁２０で円筒部１９を下方に押圧し又は変形させ、切欠き２０の開放を引き起こす試みがあった場合、閉込め軸方向付属部３０に対して、外部ラジアルフランジ２２が当接する。
【００３７】
コネクタの開放をもたらすために、雌ルアーコネクタを本体３の座４に導入し結合する必要がある。この導入により、図示しないが例えば前述したＥＰ−１８３４６６５Ａ２に記載され図示されたものに相当する雌コネクタは、閉込め付属部３０に軸方向に係合し、カラー２８に軸方向スラストを付加し、カラー２８を出口通路７の方向に押圧する。カラー２８のベース２９と円錐部１８の相互作用により、弾性中空要素１５は、弾性的に伸張変形し、末端壁２０の内面を管状部材５の入口部６の初期端１１に押圧する。この工程の間、まず図５に示し次に図６に示すように、弾性中空要素１５の内部ガイド突起２３は、外部拡大部１２からスタートして、図６に示すように段部１４に当たって停止するまで、溝１３に沿って平行移動する。同時に、弾性中空要素１５の内部環状突起２４は、ラジアル通路９，１０の間、すなわち、管状部材５の入口部６と出口部７の間の連通を自由にするまで、円筒部１７の伸張変形により下方に移動する。この工程の間、切欠き２１は、末端壁２０と外部環状拡大部１２の間の相互作用により、開放を開始する。
【００３８】
雌コネクタの完全開放、カラー２８のさらなる下方への移動、及び次の弾性中空要素１５の伸張変形に続いて、末端壁２０と環状拡大部１２の間の相互作用により切欠き２１の完全開放が生じ、及びこれに応じて図７に示すように入口部６と出口部７の間の流路の完全開放が生じる。
【００３９】
弾性中空要素１５の第２円筒部１９の伸張の制御は、内部ガイド突起２３と溝１３の間の相互作用により、切欠き２１の裂傷の危険性を阻止する。さらに、内部ガイド突起２３が段部１４に当接するまで、第２円筒部１９が下方に移動する場合に、カラー２８の軸方向付属部３０により与えられる閉込めは、第２円筒部１９が横方向にそれるのを防止し、雌コネクタの離脱の後に初期位置に正しく復帰するのを保証する。さらに、このような復帰は、中空要素１５の弾性復帰のみによるだけでなく、軸方向付属部３０によって与えられる確実（positive）な動作により、得られる。実際には、軸方向付属部３０の自由端と末端壁２０の外部ラジアルフランジ２２との間の相互作用は、安全で且つ信頼性をもって、切欠き２１の変形されない閉鎖状態を回復させる。
【００４０】
以上の説明は、閉込め軸方向付属部３０の存在、内部ガイド突起２３と協働する段部１４を有する外部溝１３の存在、また外部ラジアルフランジ２２の存在、拡大部１２の存在により、本発明によるコネクタの開放と再閉鎖の改良された制御を達成することができ、繰り返し動作の場合でも故障の危険性を回避することができる。
【００４１】
構成の細部や実施例は、特許請求の範囲に規定された本発明の保護の範囲を逸脱することなく、説明し図示したものに対して、広範囲に変更してもよいことは明らかである。
【符号の説明】
【００４２】
１  ケーシング
５  管状部材
６  入口部
７  出口部
９，１０  ラジアル通路
１１  初期端
１２  外部環状円形拡大部
１３  外部環状溝
１４  停止手段
１５  弾性中空要素
２０  末端壁
２１  切欠き
２２  外部ラジアルフランジ
２４，２５  内部環状突起
２８  カラー
３０  閉込め軸方向付属部
【図１】
2013512028.tif 000003
【図２】
2013512028.tif 000004
【図３】
2013512028.tif 000005
【図４】
2013512028.tif 000006
【図５】
2013512028.tif 000007
【図６】
2013512028.tif 000008
【図７】
2013512028.tif 000009
【国際調査報告】
2013512028.tif 000010
2013512028.tif 000011
2013512028.tif 000012